(57)【要約】【課題】  使用をしないとき、良好な美観を保持しつつ、効率的な収納が可能で空間の有効利用に寄与し得る間仕切り壁を提供する。【解決手段】  複数の間仕切りパネル１を順次、蝶番結合２により縦列配設してなり、この複数の間仕切りパネル１に設けた所定の移動軸７を、所定軌道９に沿って、上下に走行せしめることにより、上下方向に折り畳んで、天井下収納部１１に収納可能な間仕切り壁であって、縦列配設した前記複数の間仕切りパネル１の最上端に位置する第一の間仕切りパネル１ａの最上端辺１２を天井下収納部１１に回動可能に連結する一方、縦列配設した前記複数の間仕切りパネル１の最下端に位置する終端の間仕切りパネル１ｚの最下端辺１３を天井下収納部１１まで牽引、収納可能であるので、かかる間仕切り壁の使用をしないとき、良好な美観を保持しつつ、効率的な収納ができ、居住空間の有効利用に寄与し得る。【選択図】図１
2006083582.tif 000002
【特許請求の範囲】
【請求項１】
複数の間仕切りパネルを順次、蝶番結合により縦列配設してなり、前記複数の間仕切りパネルに設けた所定の移動軸を、所定軌道に沿って、上下に走行せしめることにより、上下方向に折り畳んで、天井面の下側に形成した天井下収納部に収納可能な間仕切り壁であって、縦列配設した前記複数の間仕切りパネルの最上端に位置する第一の間仕切りパネルの最上端辺を前記天井下収納部に回動可能に連結する一方、縦列配設した前記複数の間仕切りパネルの最下端に位置する終端の間仕切りパネルの最下端辺を前記天井下収納部まで牽引、収納可能であることを特徴とする間仕切り壁。
【請求項２】
前記天井下収納部が、前記天井面と平行に配置された梁に隣接して形成されたことを特徴とする請求項１記載の間仕切り壁。
【請求項３】
前記終端の間仕切りパネルの最下端辺を、滑車を介して他端に所定重量の錘を連結したワイヤにより前記天井下収納部まで牽引可能であることを特徴とする請求項１または請求項２記載の間仕切り壁。
【発明の詳細な説明】
【技術分野】
【０００１】
本発明は、住宅の間仕切り用途等に使用可能な間仕切り壁に関するものである。
【背景技術】
【０００２】
従来より、複数枚の間仕切り壁パネル２３を相互に連結して、住宅内の相対する二つの壁面２４、２５間に形成する住宅用の間仕切り壁Ｂにおいては、例えば、実公平７−６４３４号公報に開示されるように、床面２６と平行に敷設した所定のレール２７上を走行する各間仕切り壁パネル２３を左右に相互に連結して横列配設した間仕切り壁Ｂを収納する際には、この間仕切り壁パネル２３相互間の連結状態を保持したまま、一方の壁面２４の壁際に折り畳んで収納するのが通例である（図２参照）。
【０００３】
すなわち、かかる住宅用の間仕切り壁Ｂは、これを使用する必要がある場合のみ、折り畳んで収納した上記の相互に連結した各間仕切り壁パネル２３を展開して間仕切り壁Ｂとし得る一方、使用の必要がない場合は、上記のように折り畳んで、これを収納し得るという自在性を有する点で他に替え難い利点を有するものである。その反面、かかる住宅用の間仕切り壁Ｂは、収納時には折り畳んだ状態でも相当程度嵩高く、一方の壁際近傍の空間を少なからず占有する〔図２では、壁面２４からＷ（ｃｍ）までの距離範囲が占有されている。〕のみならず、美観上の観点からも決して好ましいとは言い難いものであった。
【特許文献１】実公平７−６４３４号公報
【発明の開示】
【発明が解決しようとする課題】
【０００４】
本発明は、上記背景技術に鑑みて発明されたものであり、その課題は、かかる間仕切り壁の使用をしないとき、良好な美観を保持しつつ、効率的な収納が可能で空間の有効利用に寄与し得る間仕切り壁を提供することにある。
【課題を解決するための手段】
【０００５】
上記課題を解決するために、請求項１に係る発明の間仕切り壁にあっては、複数の間仕切りパネルを順次、蝶番結合により縦列配設してなり、前記複数の間仕切りパネルに設けた所定の移動軸を、所定軌道に沿って、上下に走行せしめることにより、上下方向に折り畳んで、天井面の下側に形成した天井下収納部に収納可能な間仕切り壁であって、縦列配設した前記複数の間仕切りパネルの最上端に位置する第一の間仕切りパネルの最上端辺を前記天井下収納部に回動可能に連結する一方、縦列配設した前記複数の間仕切りパネルの最下端に位置する終端の間仕切りパネルの最下端辺を前記天井下収納部まで牽引、収納可能であることを特徴とするものである。
【０００６】
請求項２に係る発明の間仕切り壁にあっては、請求項１記載の間仕切り壁において、前記天井下収納部が、前記天井面と平行に配置された梁に隣接して形成されたことを特徴とするものである。
【０００７】
請求項３に係る発明の間仕切り壁にあっては、請求項１または請求項２記載の間仕切り壁において、前記終端の間仕切りパネルの最下端辺を、滑車を介して他端に所定重量の錘を連結したワイヤにより前記天井下収納部まで牽引可能であることを特徴とするものである。
【発明の効果】
【０００８】
本発明の間仕切り壁では、複数の間仕切りパネルを順次、蝶番結合により縦列配設してなり、前記複数の間仕切りパネルに設けた所定の移動軸を、所定軌道に沿って、上下に走行せしめることにより、上下方向に折り畳んで、天井面の下側に形成した天井下収納部に収納可能な間仕切り壁であって、縦列配設した前記複数の間仕切りパネルの最上端に位置する第一の間仕切りパネルの最上端辺を前記天井下収納部に回動可能に連結する一方、縦列配設した前記複数の間仕切りパネルの最下端に位置する終端の間仕切りパネルの最下端辺を前記天井下収納部まで牽引、収納可能であるので、かかる間仕切り壁の使用をしないとき、良好な美観を保持しつつ、効率的な収納ができ、居住空間の有効利用に寄与し得ることとなる。
【発明を実施するための最良の形態】
【０００９】
以下、本発明の実施形態を図面に基づき説明する。なお、本発明の間仕切り壁は、下記の実施形態にのみ限定されるものではなく、本発明の要旨を逸脱しない範囲内において種々変更を加え得ることは勿論である。
【００１０】
ここで、図１は、本発明の一実施形態である間仕切り壁Ａの概略を模式的に示すもので、（ａ）は、梁１５に直交する垂直面での縦断面図、（ｂ）は、（ａ）のＸ−Ｘ‘を含む垂直面での縦断面図である。すなわち、本実施形態の間仕切り壁Ａは、図１に示すように、複数（ここでは、二枚）の間仕切りパネル１を順次、蝶番結合２により縦列配設してなり、前記複数（ここでは、二枚）の間仕切りパネル１に設けた所定の移動軸７（ここでは、最上端に位置する第一の間仕切りパネル１ａと蝶番結合２により縦列配設して連結された第二の間仕切りパネル１ｂの最下端辺３〔さらに、具体的には、該最下端辺３の壁面４側の端縁５に取りつけたランナ６を含み、壁面４に直交する軸８〕）を、所定軌道９（ここでは、上記ランナ６が、走行可能なレール１０）に沿って、上下に走行せしめることにより、上下方向に折り畳んで、天井面１４の下側に形成した天井下収納部１１に収納可能な間仕切り壁である。
【００１１】
さらに、縦列配設したこの複数（ここでは、二枚）の間仕切りパネル１の最上端に位置する第一の間仕切りパネル１ａの最上端辺１２を天井下収納部１１に回動可能に連結する一方、縦列配設したこの複数（ここでは、二枚）の間仕切りパネルの最下端に位置する終端の間仕切りパネル１ｚ（ここでは、第二の間仕切りパネル１ｂ）の最下端辺１３（ここでは、最下端辺３）を天井下収納部１１まで牽引、収納可能とするものである。
【００１２】
その結果、かかる間仕切り壁Ａの使用をしないときは、天井下収納部１１に収納され、間仕切り壁Ａ、或いは、これを構成する間仕切りパネル１が、直接目視されることがないので、良好な美観を保持し得る一方、天井下収納部１１への効率的な収納により居住空間の有効利用に寄与し得ることとなる。
【００１３】
また、本実施形態の間仕切り壁Ａでは、図１に示すように、天井下収納部１１が、天井面１４と平行に配置された梁１５に隣接して形成されている。この結果、間仕切り壁Ａの使用をしない収納時には、天井下収納部１１が〔特に、図１（ａ）中、矢印方向より〕直接目視され難く、居室内のさらなる美観確保に寄与し得ることとなる。
【００１４】
さらに、本実施形態の間仕切り壁Ａは、終端の間仕切りパネル１ｚ（ここでは、第二の間仕切りパネル１ｂ）の最下端辺１３（ここでは、最下端辺３）を、滑車１６を介して他端１７に所定重量の錘１８を連結したワイヤ１９により天井下収納部１１まで牽引可能に形成されている。この結果、例えば、錘１８の重量を間仕切り壁Ａ全体の重量、すなわち、縦列配設した複数の間仕切りパネル１全体の重量と略同一とした場合には、これを折り畳んで天井下収納部１１に収納する際に、小さな力で収納することができ、また引き降ろす際には急速な落下を防止し得ることとなる。この場合、終端の間仕切りパネル１ｚである間仕切りパネル１ｂの最下端辺３を天井下収納部１１まで牽引した際、錘１８を錘ボックス２８内において、例えば、ロック２０で固定可能とすることもできる。なお、かかるロック２０にバネを付加したり、ロック２０の開閉を磁石により行なう等も当然に可能である。この結果、間仕切り壁Ａの設営、収納の制御をさらに容易にできることとなる。
【００１５】
なお、本実施形態の間仕切り壁Ａにおいては、間仕切りパネル１ａ、１ｂの二枚の間仕切りパネル１から構成されているが、本発明の間仕切り壁は、これのみに限定されるものではなく、間仕切りパネル１を四枚、六枚等、より多数枚使用する実施形態も当然に可能であり、上記課題解決に寄与する限りにおいて何ら制約のないことはいうまでもない。また、本実施形態の間仕切り壁Ａにおいては、最上端に位置する第一の間仕切りパネル１ａと蝶番結合２により縦列配設して連結された第二の間仕切りパネル１ｂの最下端辺３の壁面４側の端縁５に取りつけたランナ６を含み、壁面４に直交する軸８をレール１０に沿って、上下に走行せしめることにより上下方向に折り畳んで収納可能な間仕切り壁を構成したが、本発明の間仕切り壁は、これのみに限定されるものではなく、複数の間仕切りパネル１を順次、蝶番結合２により縦列配設してなり、前記複数の間仕切りパネル１に設けた所定の移動軸７を所定軌道９に沿って、上下に走行せしめ得るものであれば、上記課題解決に寄与する限りにおいて何ら制約のないことはいうまでもない。
【００１６】
以上のように、本発明の間仕切り壁では、複数の間仕切りパネルを順次、蝶番結合により縦列配設してなり、前記複数の間仕切りパネルに設けた所定の移動軸を、所定軌道に沿って、上下に走行せしめることにより、上下方向に折り畳んで、天井面の下側に形成した天井下収納部に収納可能な間仕切り壁であって、縦列配設した前記複数の間仕切りパネルの最上端に位置する第一の間仕切りパネルの最上端辺を前記天井下収納部に回動可能に連結する一方、縦列配設した前記複数の間仕切りパネルの最下端に位置する終端の間仕切りパネルの最下端辺を前記天井下収納部まで牽引、収納可能であるので、かかる間仕切り壁の使用をしないとき、良好な美観を保持しつつ、効率的な収納ができ、居住空間の有効利用に寄与し得ることとなる。
【図面の簡単な説明】
【００１７】
【図１】本発明の一実施形態である間仕切り壁Ａの概略を模式的に示すもので、（ａ）は、梁１５に直交する垂直面での縦断面図、（ｂ）は、（ａ）のＸ−Ｘ‘を含む垂直面での縦断面図である。
【図２】従来例に係る間仕切り壁Ｂの概略を模式的に示す水平断面図である。
【符号の説明】
【００１８】
１    間仕切りパネル
１ａ  間仕切りパネル
１ｂ  間仕切りパネル
１ｚ  間仕切りパネル
２    蝶番結合
３    最下端辺（第二の間仕切りパネル１ｂ）
４    壁面
５    端縁（最下端辺３）
６    ランナ
７    移動軸（間仕切りパネル１）
８    軸
９    軌道（移動軸７）
１０    レール（ランナ６）
１１    天井下収納部（天井面１４）
１２    最上端辺（第一の間仕切りパネル１ａ）
１３    最下端辺（終端の間仕切りパネル１ｚ）
１４    天井面
１５    梁
１６    滑車
１７    他端（ワイヤ１９）
１８    錘
１９    ワイヤ
２０    ロック
２１    壁面
２２    床面
２３    間仕切り壁パネル
２４    壁面
２５    壁面
２６    床面
２７    レール
２８    錘ボックス
Ａ      間仕切り壁
Ｂ      間仕切り壁（従来例）
【図１】
2006083582.tif 000003
【図２】
2006083582.tif 000004